(57)【特許請求の範囲】
【請求項１】
缶から剥離ヘアを除去する剥離ヘア除去装置であって、
前記缶を搬送する搬送手段と、
前記剥離ヘアを吸引するための吸引用流路を有し、前記缶から前記剥離ヘアを掻き取る回転ブラシと、
前記吸引用流路と連通し、前記剥離ヘアを吸引して排出する吸引用ダクトとを備え、
前記搬送手段がコンベアであり、該コンベアの両側に、前記回転ブラシを配設してある
ことを特徴とする剥離ヘア除去装置。
【請求項２】
缶から剥離ヘアを除去する剥離ヘア除去装置であって、
前記缶を搬送する搬送手段と、
前記剥離ヘアを吸引するための吸引用流路を有し、前記缶から前記剥離ヘアを掻き取る回転ブラシと、
前記吸引用流路と連通し、前記剥離ヘアを吸引して排出する吸引用ダクトとを備え、
前記回転ブラシのブラシが前記缶と当接する位置から所定の角度だけ前記回転ブラシの回転方向へ離れた位置に、前記ブラシと当接するヘア除去用部材を設けている
ことを特徴とする剥離ヘア除去装置。
【請求項３】
缶から剥離ヘアを除去する剥離ヘア除去装置であって、
前記缶を搬送する搬送手段と、
前記剥離ヘアを吸引するための吸引用流路を有し、前記缶から前記剥離ヘアを掻き取る回転ブラシと、
前記吸引用流路と連通し、前記剥離ヘアを吸引して排出する吸引用ダクトとを備え、
前記搬送手段がコンベアであり、該コンベアの両側に、前記回転ブラシを配設し、
前記回転ブラシのブラシが前記缶と当接する位置から所定の角度だけ前記回転ブラシの回転方向へ離れた位置に、前記ブラシと当接するヘア除去用部材を設けている
ことを特徴とする剥離ヘア除去装置。
【請求項４】
前記回転ブラシの前記吸引用流路が、回転中心軸に対して１２０°間隔の三方向に配設されたことを特徴とする請求項１〜３のいずれか一項に記載の剥離ヘア除去装置。
【請求項５】
前記吸引用ダクトが、前記回転ブラシの所定の領域を覆うように、バキュームガイドを有していることを特徴とする請求項１〜４のいずれか一項に記載の剥離ヘア除去装置。
【請求項６】
前記吸引用ダクトの吸引口が、前記回転ブラシに対して前記缶と反対側に設けてあることを特徴とする請求項１〜５のいずれか一項に記載の剥離ヘア除去装置。
【請求項７】
前記缶は、スコアが設けられていることを特徴とする請求項１〜６のいずれか一項に記載の剥離ヘア除去装置。
【請求項８】
前記缶が角形缶であることを特徴とする請求項１〜７のいずれか一項に記載の剥離ヘア除去装置。
【請求項９】
前記缶が空缶であることを特徴とする請求項１〜８のいずれか一項に記載の剥離ヘア除去装置。
【請求項１０】
缶から剥離ヘアを除去する剥離ヘア除去方法であって、
コンベアからなる搬送手段が前記缶を搬送し、
前記コンベアの両側に配設され、前記剥離ヘアを吸引するための吸引用流路を有する回転ブラシが、搬送されている前記缶に当接して、前記缶から前記剥離ヘアを掻き取り、
吸引用ダクトが、掻き取られた前記剥離ヘアの少なくとも一部を、前記回転ブラシの前記吸引用流路を介して吸引する
ことを特徴とする剥離ヘア除去方法。
【発明の詳細な説明】
【技術分野】
【０００１】
本発明は、缶から剥離ヘア（剥離した糸状あるいはヘア状の物体、たとえば、エナメルヘアなど）を除去する剥離ヘア除去装置及び剥離ヘア除去方法に関し、特に、効果的にエナメルヘアを除去することができ、経済性や生産性などを向上させることができる剥離ヘア除去装置及び剥離ヘア除去方法に関する。
【背景技術】
【０００２】
缶は、金属板製の容器であり、通常、使用される金属板は、製缶工程の前に、塗料や樹脂などによって被覆されている。被覆された金属板は、製缶工程において、所定の形状に成形されるが、この際、塗料や樹脂などの一部が糸状あるいはヘア状に剥離することがある。また、製缶工程の後工程である充填工程などにおいても、塗料や樹脂などの一部が同様に剥離することがある。この剥離した糸状やヘア状の物体は、その材質によって、エナメルヘア、塗膜ヘア、熱可塑性樹脂ヘアなどと呼ばれている。
なお、本明細書では、缶から剥離した糸状やヘア状の物体を、その材質などにかかわらず、剥離ヘアと総称する。
【０００３】
また、被覆された金属板にスコア加工が施される缶（たとえば、コンビーフ缶など）においては、スコアやスコア近傍の塗料などが糸状に剥離し、スコア加工に起因する剥離ヘア（コンビーフ缶の場合、エナメルヘア）が発生する。
次に、コンビーフ缶やコンビーフ缶のエナメルヘアなどについて説明する。
【０００４】
コンビーフ缶は、特殊な台形の角形形状（截頭四角錐状）を有する角形缶であり、巻き取り部を巻き取ることにより、缶胴を分割し、開缶する構成となっている。巻き取られる巻き取り部は、約５ｍｍの幅を有しており、巻き取り部の上部及び下部には、それぞれ二本のスコア（二本のスコアどうしは、約１ｍｍ離れている。）が形成されている。このようにすると、巻き取り部を巻き取る際、二本のスコアから外れて缶胴が切断されるといった不具合を防止することができる。
【０００５】
上記缶胴は、クロメート処理の施されたすずメッキ鋼板上に、ホワイトコート層、文字などの印刷層、及び、仕上げニス層など（適宜、これらの層を印刷膜と呼称する。）がこの順に積層された金属板である。
印刷膜の塗布された金属板は、製缶工程において、まず、打ち抜き加工によって、所定の形状に切断される。この打ち抜かれた金属板は、平板状である。
次に、打ち抜かれた金属板は、印刷面に、スコアカッターを回転させながら押し込むことにより、四本のスコアが形成される。各スコアは、線状の溝であり、たとえば、溝の断面は、逆さにしたほぼ三角形状であり、また、溝の幅は約０．１ｍｍである。
【０００６】
スコアが形成される際、スコアの表面（すなわち、溝の一対の斜面）には、大きな面圧が作用し、印刷膜の下面（ホワイトコート層の下面）と金属面（クロメート処理面）との間に剪断力が加わり密着性が低下する。
さらに、スコアのエッジ部（溝の斜面の上側縁部）やスコアの中央部（溝の斜面の下側縁部）に沿って、印刷膜にひび割れなどが発生する場合がある。かかる場合は特に、また、ひび割れなどが発生していない場合であっても、スコア加工後の曲げ加工や搬送時のシュートとのこすれなどにより、スコアの印刷膜が糸状に剥離し、数ｍｍ〜約３０ｍｍの長さのエナメルヘアが発生する。
【０００７】
なお、コンビーフ缶は、上述したように、印刷層の下地に酸化チタン顔料を含有するホワイトコート層が一般に設けられているため、エナメルヘアが目立ちやすく、また、ホワイトコートは、顔料入り塗料であるため金属面（ここでは、クロメート処理面）との密着性が弱くエナメルヘアが発生しやすい傾向にある。さらに、缶胴シーム部が半田付けや溶接で製缶されるため、金属板は、すずを含んだメッキ処理が施されており、この点においても、塗料との密着性が弱く、エナメルヘアが発生しやすい状況にある。
【０００８】
（従来例）
次に、コンビーフ缶のエナメルヘアを除去するための、従来例にかかるエナメルヘア除去装置について、図面を参照して説明する。
図５は、従来例にかかるエナメルヘア除去装置の要部の概略図であり、（ａ）は平面図を示しており、（ｂ）はＤ−Ｄ拡大断面図を示している。
図５において、剥離ヘア除去装置としてのエナメルヘア除去装置１０１は、マグネットコンベア１１、一対のチャンネルブラシ１０２、及び、一対の吸引用ダクト１０５などを備えている。
なお、エナメルヘア除去工程におけるコンビーフ缶６は、缶胴及び上蓋からなる空缶（コンビーフを充填した後に、底蓋が取り付けられる。）であり、缶胴のほぼ中段部に、上下それぞれ二本のスコア６２によって、巻き取り部６１が形成されている。
【０００９】
搬送手段としてのマグネットコンベア１１は、逆さにしたコンビーフ缶６の上蓋を磁力により吸引した状態で搬送する。この際、ほぼ角形缶であるコンビーフ缶６は、長手方向の側面が搬送方向と平行となる向きで搬送される。また、マグネットコンベア１１の両側には、一対のガイドレール１２が対向するように設けられており、コンビーフ缶６の向きが変わらないようにガイドする。
【００１０】
一対のチャンネルブラシ１０２は、チャンネル部材１２１及びブラシ１２２を有しており、マグネットコンベア１１を挟むようにして、保持手段（図示せず）を介して基台１０に固定されている。また、各チャンネルブラシ１０２は、ブラシ１２２の先端が、コンビーフ缶６のスコア６２と当接し、長手方向の両側面からエナメルヘア（図示せず）が剥離する。
【００１１】
吸引用ダクト１０５は、上板、背板、及び、一対の側板などを有するほぼ直方体状であり、上板に複数の吸引口１５５が設けられている。また、吸引用ダクト１０５は、ブラシ１２２の先端部がコンビーフ缶６の側に突き出る状態で、チャンネルブラシ１０２を覆うように固定される。上記吸引口１５５は、集塵機（図示せず）の吸い込み口と連通しており、チャンネルブラシ１０２によって除去されたエナメルヘアは、吸引用ダクト１０５によって上方に吸引され、吸引口１５５から集塵機に排出される。
【００１２】
また、本発明に関連する様々な技術が提案されている。
たとえば、特許文献１には、公転するとともに自転し、かつ、缶内に進退可能なブラシを備え、絞り缶（ＤＲ缶）のフランジ先端の塗膜ヘア（エナメルヘア）を除去する缶塗膜ヘア除去装置の技術が開示されている。この缶塗膜ヘア除去装置は、ブラシの移動範囲を覆うように塵埃飛散防止用カバーを備えており、除去された塗膜ヘアを吸引し、装置外へ排除する。
【００１３】
さらに、エナメルヘアなどの発生自体を抑制しようとする様々な技術なども提案されている。
たとえば、特許文献２には、熱可塑性樹脂粒子を塗料中に分散させることにより、蓋の成形加工時や開缶時にエナメルヘアの発生を抑制する金属製缶蓋被覆用塗料の技術が開示されている。
また、特許文献３には、塗膜の厚さを鋼板表面凹凸の半分以下にすることにより、フランジ曲げ加工の際、端面にエナメルヘアを発生させることのないフランジ曲げ加工用塗装鋼板の技術が開示されている。
また、特許文献４には、フランジエッジ部に塗料を塗布することにより、エナメルヘアの脱落を防止する金属缶のフランジエッジ部の加工方法の技術が開示されている。
さらに、特許文献５には、フランジ部後端を加工する際、しわ押さえを解放することにより、絞り成形におけるカップ上端部のエナメルヘアの発生を防止する有機被覆金属材の絞り成形法の技術が開示されている。
【先行技術文献】
【特許文献】
【００１４】
【特許文献１】実開昭５４−１６２４９１号公報
【特許文献２】特開２００６−４５５４２号公報
【特許文献３】特開２００４−２９１３９７号公報
【特許文献４】特開平７−１１２２２９号公報
【特許文献５】特開平５−１５４５７０号公報
【発明の概要】
【発明が解決しようとする課題】
【００１５】
しかしながら、上述したエナメルヘア除去装置１０１は、エナメルヘアの除去率を向上させることが要望されていた。すなわち、エナメルヘアは、スコアカッターの切れ味や印刷膜の密着状態などによって、発生率が突発的に変動するため、エナメルヘアが多く発生している場合であっても、効果的にエナメルヘアを除去することの可能な技術の確立が要望されていた。
また、上述したように、スコアカッターの切れ味が悪くなると、エナメルヘアが発生しやすくなるため、スコアカッターの交換及び再研磨を頻繁に行う必要があり、再研磨の費用の削減や生産性の向上などを図ることができないといった問題があった。
【００１６】
なお、特許文献１の技術は、本発明に関連する技術ではあるものの、上記の課題を解決することはできず、また、経済性などに優れた状態で、コンビーフ缶などの角形缶に適用することが困難であった。
また、特許文献２〜５の技術において、エナメルヘアの発生を抑制するために、塗膜の密着性の向上、金属の表面処理改善、加工での工夫などがなされてきたが、エナメルヘアの発生を十分に抑制することができず、上記の課題を解決することは困難であった。
【００１７】
本発明は、以上のような問題を解決するために提案されたものであり、効果的にエナメルヘアなどを除去することができ、経済性や生産性などを向上させることができる剥離ヘア除去装置及び剥離ヘア除去方法の提供を目的とする。
【課題を解決するための手段】
【００１８】
上記目的を達成するため、本発明の剥離ヘア除去装置は、缶から剥離ヘアを除去する剥離ヘア除去装置であって、前記缶を搬送する搬送手段と、前記剥離ヘアを吸引するための吸引用流路を有し、前記缶から前記剥離ヘアを掻き取る回転ブラシと、前記吸引用流路と連通し、前記剥離ヘアを吸引して排出する吸引用ダクトとを備えた構成としてある。
【００１９】
また、本発明の剥離ヘア除去方法は、缶から剥離ヘアを除去する剥離ヘア除去方法であって、搬送手段が前記缶を搬送し、前記剥離ヘアを吸引するための吸引用流路を有する回転ブラシが、搬送されている前記缶に当接して、前記缶から前記剥離ヘアを掻き取り、吸引用ダクトが、掻き取られた前記剥離ヘアの少なくとも一部を、前記回転ブラシの前記吸引用流路を介して吸引する方法としてある。
【発明の効果】
【００２０】
本発明の剥離ヘア除去装置及び剥離ヘア除去方法によれば、効果的にエナメルヘアなどを除去することができ、経済性や生産性などを向上させることができる。
【図面の簡単な説明】
【００２１】
【図１】図１は、本発明の一実施形態にかかるエナメルヘア除去装置の要部の概略平面図を示している。
【図２】図２は、図１のＡ−Ａ拡大断面図を示している。
【図３】図３は、本発明の一実施形態にかかるエナメルヘア除去装置の回転ブラシを説明するための要部の概略拡大図であり、（ａ）は平面図を示しており、（ｂ）はＢ−Ｂ断面図を示しており、（ｃ）はＣ−Ｃ断面図を示している。
【図４】図４は、本発明の一実施形態にかかるエナメルヘア除去装置の動作を説明するための要部の概略拡大断面図を示している。
【図５】図５は、従来例にかかるエナメルヘア除去装置の要部の概略図であり、（ａ）は平面図を示しており、（ｂ）はＤ−Ｄ拡大断面図を示している。
【発明を実施するための形態】
【００２２】
［剥離ヘア除去装置の実施形態］
図１は、本発明の一実施形態にかかるエナメルヘア除去装置の要部の概略平面図を示している。
また、図２は、図１のＡ−Ａ拡大断面図を示している。
図１、２において、本実施形態の剥離ヘア除去装置は、エナメルヘア除去装置１であり、コンビーフ缶６を搬送するマグネットコンベア１１と、エナメルヘア６３を吸引するための吸引用流路２１３を有し、コンビーフ缶６からエナメルヘア６３を掻き取るセグメント式ロールブラシ２と、吸引用流路２１３と連通し、エナメルヘア６３を吸引して排出する吸引用ダクト５とを備えた構成としてある。
このエナメルヘア除去装置１は、マグネットコンベア１１によって搬送されるコンビーフ缶６から、セグメント式ロールブラシ２によってエナメルヘア６３を掻き取り、吸引用ダクト５によって除去する。
なお、本実施形態のコンビーフ缶６は、上述した従来例のものとほぼ同様としてある。
【００２３】
（マグネットコンベア）
搬送手段としてのマグネットコンベア１１は、上述した従来例のものとほぼ同様であり、逆さにしたコンビーフ缶６の上蓋を磁力により吸引した状態で搬送する。この際、ほぼ角形缶であるコンビーフ缶６は、長手方向の側面が搬送方向と平行となる向きで搬送される。
また、マグネットコンベア１１の両側には、一対のガイドレール１２が対向するように設けられており、コンビーフ缶６の向きが変わらないようにガイドする。さらに、本実施形態のガイドレール１２は、セグメント式ロールブラシ２などと対応する部分に、後述するヘア除去用部材４が設けられている。
【００２４】
（セグメント式ロールブラシ）
図３は、本発明の一実施形態にかかるエナメルヘア除去装置の回転ブラシを説明するための要部の概略拡大図であり、（ａ）は平面図を示しており、（ｂ）はＢ−Ｂ断面図を示しており、（ｃ）はＣ−Ｃ断面図を示している。
図３において、回転ブラシは、セグメント式ロールブラシ２としてあり、マグネットコンベア１１の両側に対向して配設される。図示の例ではブラシロール２１を２個つなげて使用している。すなわち、エナメルヘア除去装置１は、搬送手段がマグネットコンベア１１であり、該マグネットコンベア１１の両側に、セグメント式ロールブラシ２を配設した構成としてある。これにより、コンビーフ缶６の両側から効率よくエナメルヘア６３を除去することができる。また、エナメルヘア除去装置１の全体的な構造を単純化することができ、製造原価のコストダウンを図ることができる。
【００２５】
セグメント式ロールブラシ２は、隣接して取り付けられる２個のブラシロール２１、これらブラシロール２１を挟持する一対のジグザグカラー２２、並びに、ブラシロール２１及びジグザグカラー２２が取り付けられるシャフト２３などを有している。また、セグメント式ロールブラシ２は、エナメルヘア６３を吸引するための吸引用流路２１３を有している。
【００２６】
ブラシロール２１は、ほぼ円筒状のブラシ台２１１と、ブラシ台２１１に植毛されたブラシ２１２とを有している。
ブラシ台２１１は、周面中央部に、回転中心軸に沿った長穴状の三つの開口部２１４が、周方向に対して等間隔で位置するように形成されている。すなわち、ブラシ台２１１は、両端部付近の外周面に、全周にわたってブラシ２１２が植毛されており、また、中央側の外周面には、回転中心軸に沿った直線状の三箇所に（周方向に対して等間隔で位置するように）ブラシ２１２が植毛されている。
【００２７】
また、ブラシ台２１１は、両端部に、冠歯車状の凹凸が形成されており、この凹凸は、ジグザグカラー２２などと係合し、シャフト２３からのトルクを伝達する。
さらに、隣接するブラシ台２１１どうしは、上記の凹凸を介して係合しているので、それぞれの開口部２１４の位相を容易に設定することができる。本実施形態では、隣接するブラシ台２１１の開口部２１４の位相を一致させているが、これに限定されるものではない。上記の位相を所定の角度、例えば６０度異なるようにしてもよい。
なお、ブラシ台２１１やブラシ２１２は、通常、樹脂製である。
【００２８】
シャフト２３は、中央部に、２個のブラシロール２１が嵌入され、さらに、２個のブラシロール２１を挟持するジグザグカラー２２が嵌入される。シャフト２３の嵌入されたジグザグカラー２２は、六角穴付き止めねじなどによって、シャフト２３に固定される。
また、シャフト２３は、ブラシロール２１の開口部２１４と対応する位置の直径が、ブラシ台２１１の内径（たとえば、２０ｍｍ）より小さく（たとえば、１４ｍｍ）なっており、この部分の外周面とブラシ台２１１の内周面との間に、筒状スペース２１５が形成される。さらに、シャフト２３は、通常、金属製である。
なお、上記の筒状スペース２１５は、ブラシ台２１１に中ぐり加工を行うことによって形成されてもよい。
【００２９】
シャフト２３は、図１に示すように、両軸端がベアリングホルダ２４によって回転可能に支持されており、また、搬送方向側の軸端には、かさ歯車２５が固定されている。かさ歯車２５は、かさ歯車３１と係合しており、また、かさ歯車３１は、シャフト３２を介してスプロケット３３と連結されており、シャフト３２は、ベアリングホルダ３４によって回転可能に支持されている。
本実施形態では、スプロケット３３は、図示してないが、チェーンなどを介してマグネットコンベア１１の駆動軸などと連結されている。これにより、エナメルヘア除去装置１は、専用のモータ（図示せず）などを設ける必要が無いので、製造原価などのコストダウンを図ることができる。
【００３０】
また、セグメント式ロールブラシ２は、エナメルヘア６３を吸引するための吸引用流路２１３を有しており、本実施形態では、吸引用流路２１３は、上述した開口部２１４と筒状スペース２１５とからなっている。すなわち、セグメント式ロールブラシ２は、開口部２１４が、回転中心軸に対して１２０°間隔の三方向に配設されており、三つの開口部２１４が筒状スペース２１５と連通している。
このようにすると、セグメント式ロールブラシ２は、コンビーフ缶６に対して、ブラシ２１２によるエナメルヘア６３の掻き取り、及び、吸引用流路２１３によるエナメルヘア６３の吸引を交互に行うことができる。これにより、吸引用流路２１３は、一群のブラシ２１２が掻き取ったエナメルヘア６３を迅速に吸引し排出することができるので、掻き取ったエナメルヘア６３がブラシ２１２に絡まるといった不具合を防止することができる。また、ブラシ２１２は、エナメルヘア６３が絡まっていない状態で、吸引用流路２１３の吸引により一部が突き出たエナメルヘア６３と当接するので、掻き取り性能を向上させることができる。したがって、セグメント式ロールブラシ２は、効果的にエナメルヘア６３を除去することができる。
【００３１】
また、本実施形態のセグメント式ロールブラシ２は、一群のブラシ２１２の角度αを約６０°とし、吸引される領域の角度βを約６０°としてある。ただし、角度α、βは、上記に限定されるものではなく、たとえば、α＝５０°〜７０°、β＝７０°〜５０°としても、上記とほぼ同様の効果を得ることができる。
また、本実施形態では、三つの開口部２１４を形成しているが、この理由は、四つ以上の開口部２１４を形成すると、ブラシ台２１１の機械的強度が弱くなり、掻き取り効率が低下したりするからである。さらに、一つ又は二つの開口部２１４を形成すると、エナメルヘア６３を迅速に吸引しづらくなり、エナメルヘア６３がブラシ２１２に絡まりやすくなるからである。
【００３２】
（ヘア除去用部材）
また、本実施形態のエナメルヘア除去装置１は、セグメント式ロールブラシ２のブラシ２１２がコンビーフ缶６と当接する位置（水平方向の位置）から、所定の角度θ（本実施形態では、角度θは約４５°）だけセグメント式ロールブラシ２の回転方向へ離れた位置に、ブラシ２１２と当接するヘア除去用部材４が設けられている（図２参照）。ヘア除去用部材４は、通常、金属製の丸棒（細長い板状部材や角棒などであってもよい。）と、この丸棒を覆う摩擦抵抗の高い有機材（たとえば、ゴムチューブ）とを有する構成としてある。これにより、ヘア除去用部材４とブラシ２１２とが当接すると、後述するように、コンビーフ缶６と一部がつながっているエナメルヘア６３が挟まれた状態となり、コンビーフ缶６から効果的に引き千切ることができ、エナメルヘア６３の除去率をさらに向上させることができる。
【００３３】
なお、ヘア除去用部材４は、搬送方向の入り側部分が、外側に曲げられており、ガイドレール１２としても機能する。さらに、ヘア除去用部材４は、通常、回転しない構成としてある。
また、角度θを約４５°としてあるが、これに限定されるものではなく、たとえば、３５°〜５５°としてもよく、ほぼ同様の効果を得ることができる。
【００３４】
（吸引用ダクト）  
吸引用ダクト５は、上板５１、下板５２、一対の側板５３、及び、背板５４などを有するほぼ直方体状であり、背板５４に複数の吸引口５５が設けられている。また、吸引口５５は、集塵機（図示せず）の吸い込み口と連通しており、セグメント式ロールブラシ２によって掻き取られたエナメルヘア６３は、吸引用ダクト５によって左右方向にそれぞれ吸引され（図４参照）、吸引口５５から集塵機に排出される。
【００３５】
ここで、好ましくは、吸引用ダクト５は、ブラシロール２１の一部がコンビーフ缶６の側に突き出る状態で、ブラシロール２１を覆うように固定される。本実施形態では、上板５１、下板５２、及び、一対の側板５３の端部が、シャフト２３の回転中心軸より微小距離（たとえば、数ｍｍ）だけコンビーフ缶６の側に位置し、一対の側板５３は、ジグザグカラー２２の外形に対応する形状としてある。すなわち、吸引用ダクト５は、セグメント式ロールブラシ２の所定の領域（ほぼブラシロール２１の回転中心軸よりコンビーフ缶６側の部分）を覆うように、バキュームガイド（上板５１、下板５２、一対の側板５３、及び、背板５４）を有している。このようにすると、コンビーフ缶６の側に二つの開口部２１４が位置する状態、及び、コンビーフ缶６の側に一つの開口部２１４が位置する状態が交互に繰り返され、開口部２１４は、強い吸引力で、かつ、回転しながらエナメルヘア６３を吸引するので、吸引の効率を向上させることができる。
【００３６】
また、好ましくは、吸引口５５が、セグメント式ロールブラシ２に対してコンビーフ缶６と反対側に設けてあるとよい。このようにすると、たとえば、吸引口５５が上板５１に設けられた場合（図示せず）と比べて、吸引用流路２１３をエアーが通り抜けやすくなるので、効率よくエナメルヘア６３を排出することができる（図４参照）。また、後述するように、掻き取ったエナメルヘア６３を迅速に吸引することができる。
なお、吸引口５５の位置は、上記に限定されるものではなく、たとえば、セグメント式ロールブラシ２に対してコンビーフ缶６と反対側であって、かつ、下側に設けてもよく、ほぼ同様の効果を得ることができる。
【００３７】
（コンビーフ缶）
また、本実施形態では、缶をコンビーフ缶６としてある。
コンビーフ缶６は、上述したように、缶胴に四本のスコア６２が設けられており、エナメルヘア対策が取りにくい仕様であるが、吸引用流路２１３を有し、回転するセグメント式ロールブラシ２により、効果的にエナメルヘア６３を除去することができる。
【００３８】
また、コンビーフ缶６は、角形缶であり、長手方向の側面は、スコア加工の後に、曲げ加工や張り出し加工によって中央部が内側に窪んだ形状に成形され、短手方向の側面は、曲げ加工によって外側に湾曲した形状に成形されている。すなわち、長手方向の側面のスコア６２は、スコア加工での密着性低下に加え、さらに密着性が低下しており、印刷膜の剥離によってエナメルヘア６３が発生しやすい部位である。エナメルヘア除去装置１は、長手方向の側面に対して、効率よくエナメルヘア６３を除去することができる。
なお、本実施形態では、コンビーフ缶６の長手方向の側面に対して、エナメルヘア除去装置１を適用しているが、これに限定されるものではなく、たとえば、コンビーフ缶６の向きを９０°変えて搬送し、短手方向の側面に対しても、エナメルヘア除去装置１を適用する構成としてもよい。
【００３９】
さらに、エナメルヘア除去装置１は、空缶であるコンビーフ缶６に対して、エナメルヘア６３の除去を行う構成としてある。このようにすると、エナメルヘア除去装置１を通過した後の搬送工程や充填工程などにおいて、エナメルヘア６３の発生を防止することができ、たとえば、充填ラインなどがエナメルヘア６３で汚れるといった不具合を回避することができる。
【００４０】
次に、上記構成のエナメルヘア除去装置１の動作などについて、図面を参照して説明する。
図４は、本発明の一実施形態にかかるエナメルヘア除去装置の動作を説明するための要部の概略拡大断面図を示している。
図４において、コンビーフ缶６は、マグネットコンベア１１によって搬送されており、セグメント式ロールブラシ２は、通常、毎秒数回転の回転数で回転している。
ここで、マグネットコンベア１１は、コンビーフ缶６を磁力で吸引した状態で搬送し、セグメント式ロールブラシ２は、コンビーフ缶６の長手方向の側面に、上側から下側にブラシ２１２が当接する方向に回転する。この際、コンビーフ缶６は、ブラシ２１２の回転によりマグネットコンベア１１に押し付けられるので、搬送を確実に行うことができる。また、掻き取られたエナメルヘア６３は、下方に移動するので、コンビーフ缶６の内部へ侵入するといった不具合を防止することができる。
【００４１】
まず、図４（ａ）に示すように、第一の開口部２１４ａが、スコア６２とほぼ対向する位置にある。この際、スコア６２の近傍の空間は、第三群のブラシ２１２ｃと第一群のブラシ２１２ａに囲まれた状態となり、この空間のエアーは、第一の開口部２１４ａ、筒状スペース２１５、及び、第二の開口部２１４ｂあるいは第三の開口部２１４ｃを経て、吸引口５５に吸引される。この吸引は、吸引の先端口がほぼ第一の開口部２１４ａとなるので、吸引力が強まり、スコア６２の近傍にエナメルヘア６３が起き上った状態、すなわち、エナメルヘア６３の一端が剥離し突き出ているが、他端がコンビーフ缶６とつながっている状態となる。あるいは、コンビーフ缶６から剥がれていないが、第一群のブラシ２１２ａによって擦られると、エナメルヘア６３が起き上りやすい状態となる。
また、図示してないが、第二群のブラシ２１２ｂにおいては、第二群のブラシ２１２ｂに付着しているエナメルヘア６３は、ここでほぼ確実に吸引口５５に吸引される。
【００４２】
次に、図４（ｂ）に示すように、セグメント式ロールブラシ２がさらに回転すると、第一群のブラシ２１２ａがエナメルヘア６３と当接し、エナメルヘア６３を掻き取る。この際、第三群のブラシ２１２ｃと第一群のブラシ２１２ａに囲まれた空間のエアーは、第一の開口部２１４ａ、筒状スペース２１５、及び、第三の開口部２１４ｃを経て、吸引口５５に吸引される。このエアーの流れはほぼ直線状であり、掻き取られたエナメルヘア６３は、迅速かつ確実に吸引口５５に吸引される。
また、第一群のブラシ２１２ａと第二群のブラシ２１２ｂに囲まれた空間のエアーは、第二の開口部２１４ｂ、筒状スペース２１５、及び、第三の開口部２１４ｃを経て、吸引口５５に吸引される。これにより、開口したコンビーフ缶６の上方エアーを吸引するので、舞い上がったエナメルヘア６３があったとしても吸引し、コンビーフ缶６内に落下するといった不具合を防止することができる。
【００４３】
ここで、好ましくは、上板５１や下板５２の先端部を、破線で示すように、コンビーフ缶６の側に延設してもよい。このようにすると、第三群のブラシ２１２ｃと第一群のブラシ２１２ａに囲まれた空間のエアーをより強力に吸引することができ、掻き取られたエナメルヘア６３は、さらに迅速かつ確実に吸引口５５に吸引される。
【００４４】
また、第一群のブラシ２１２ａと当接し、コンビーフ缶６から剥離したエナメルヘア６３は、上述したように、吸引口５５に吸引されるが、エナメルヘア６３のなかには、第一群のブラシ２１２ａと当接し、一端がコンビーフ缶６から剥がれるものの、他端がコンビーフ缶６とつながっているものある。このエナメルヘア６３は、通常、一端がブラシ２１２ａとともに下側に移動する。
【００４５】
上記のほぼ剥がれているもののコンビーフ缶６と一部がつながっているエナメルヘア６３は、図４（ｃ）に示すように、セグメント式ロールブラシ２がさらに回転すると、第一群のブラシ２１２ａとヘア除去用部材４とによって挟まれ、挟まれた状態で、セグメント式ロールブラシ２が回転し、また、コンビーフ缶６が搬送されることによって、コンビーフ缶６から引き千切られる。すなわち、エナメルヘア除去装置１は、ヘア除去用部材４を備えることにより、より確実にエナメルヘア６３を除去することができる。また、引き千切られたエナメルヘア６３は、通常、第一の開口部２１４ａ、筒状スペース２１５、及び、第三の開口部２１４ｃを経て、吸引口５５に吸引される。  
【００４６】
このように、エナメルヘア除去装置１は、エナメルヘア６３の発生しやすい、コンビーフ缶６の長手方向の側面のスコア６２をセグメント式ロールブラシ２で擦り、スコア６２からエナメルヘア６３を掻き取り、セグメント式ロールブラシ２内の吸引用流路２１３及び吸引用ダクト５を経由して、エナメルヘア６３を吸引し、集塵機のフィルター（図示せず）に捕獲することができる。
また、エナメルヘア除去装置１は、スコア６２及びスコア６２の近傍で、剥離直前になっているエナメルヘア６３（密着性が弱くなった剥離しそうな部分をも含む。）を掻き取って除去するため、この工程の後工程において、エナメルヘア６３の発生を効果的に防止することができる。
さらに、掻き取られたエナメルヘア６３は、吸引用流路２１３及び吸引用ダクト５を介して迅速に回収されるので、ブラシ２１２にエナメルヘア６３が絡まったままの状態となるといった不具合を回避することができる。
【００４７】
以上説明したように、本実施形態のエナメルヘア除去装置１によれば、効果的にエナメルヘア６３を除去し、エナメルヘア６３の除去率を大幅に向上させることができる。また、スコアカッターの交換及び再研磨を頻繁に行う必要がなくなり、再研磨の費用の削減や生産性の向上などを図ることができる。
なお、回転ブラシとして、セグメント式ロールブラシ２を用いる構成としてあるが、回転ブラシの構造は、上記に限定されるものではなく、様々な構造のブラシ（回転させることの可能なブラシ）を用いることができる。
【００４８】
［剥離ヘア除去方法の一実施形態］
また、本発明は、剥離ヘア除去方法の発明としても有効である。
本実施形態の剥離ヘア除去方法は、上述したエナメルヘア除去装置１を用いて、コンビーフ缶６からエナメルヘア６３を除去する方法としてある。
すなわち、マグネットコンベア１１がコンビーフ缶６を搬送し、エナメルヘア６３を吸引するための吸引用流路２１３を有するセグメント式ロールブラシ２が、搬送されているコンビーフ缶６に当接して、コンビーフ缶６からエナメルヘア６３を掻き取り、吸引用ダクト５が、掻き取られたエナメルヘア６３の少なくとも一部を、セグメント式ロールブラシ２の吸引用流路２１３を介して吸引する方法としてある。
【００４９】
これにより、エナメルヘア６３の発生しやすいコンビーフ缶６の長手方向の側面のスコア６２を、セグメント式ロールブラシ２で擦り、スコア６２からエナメルヘア６３を掻き取り、セグメント式ロールブラシ２内の吸引用流路２１３及び吸引用ダクト５を経由して、エナメルヘア６３を吸引し、集塵機のフィルター（図示せず）に捕獲することができる。
【００５０】
また、本実施形態の剥離ヘア除去方法は、好ましくは、セグメント式ロールブラシ２の吸引用流路２１３が、回転中心軸に対して１２０°間隔の三方向に配設されているとよい。このようにすると、掻き取られたエナメルヘア６３は、吸引用流路２１３及び吸引用ダクト５を介して迅速に回収されるので、ブラシ２１２にエナメルヘア６３が絡まったままの状態となるといった不具合を回避することができる。また、ブラシ２１２は、エナメルヘア６３が絡まっていない状態で、吸引用流路２１３の吸引により一部が突き出たエナメルヘア６３と当接するので、掻き取り性能を向上させることができる。したがって、セグメント式ロールブラシ２は、効果的にエナメルヘア６３を除去することができる。
【００５１】
また、本実施形態の剥離ヘア除去方法は、好ましくは、セグメント式ロールブラシ２のブラシ２１２がコンビーフ缶６と当接する角度位置（水平方向の位置）から、所定の角度θ（本実施形態では、角度θは約４５°）だけ回転方向側の位置に、ブラシ２１２と当接するヘア除去用部材４が設けられているとよい。このようにすると、ヘア除去用部材４とブラシ２１２とが当接すると、コンビーフ缶６と一部がつながっているエナメルヘア６３が挟まれた状態となり、コンビーフ缶６から効果的に引き千切ることができ、エナメルヘア６３の除去率をさらに向上させることができる。
【００５２】
以上説明したように、本実施形態の剥離ヘア除去方法によれば、効果的にエナメルヘア６３を除去し、エナメルヘア６３の除去率を大幅に向上させることができる。また、スコアカッターの交換及び再研磨を頻繁に行う必要がなくなり、再研磨の費用の削減や生産性の向上などを図ることができる。
【００５３】
以上、本発明の剥離ヘア除去装置及び剥離ヘア除去方法について、好ましい実施形態などを示して説明したが、本発明に係る剥離ヘア除去装置及び剥離ヘア除去方法は、上述した実施形態などにのみ限定されるものではなく、本発明の範囲で種々の変更実施が可能であることは言うまでもない。
例えば、本発明の剥離ヘア除去装置及び剥離ヘア除去方法は、コンビーフ缶６に対して用いられる場合に限定されるものではない。たとえば、図示してないが、フランジ部などから発生するエナメルヘア、塗膜ヘアや熱可塑性樹脂ヘアなど、塗装金属板や熱可塑性樹脂被覆金属板などを製缶するときに発生する剥離ヘア全般の対策として使用できるものである。
また、缶の種類も、特に限定されるものではなく、たとえば、溶接缶や半田缶などの３ピース缶、樹脂被覆金属板を絞り加工する絞り缶、あるいは、絞りしごき加工やストレッチ加工を組み合わせるシームレス缶などにも適用できる。
さらに、缶は、空缶であっても充填後の実缶であってもよい。
また、缶が円筒缶などである場合、缶を回転させる機構を有する搬送手段を用いてもよい。
【符号の説明】
【００５４】
１、１０１  エナメルヘア除去装置
２  セグメント式ロールブラシ  
４  ヘア除去用部材  
５  吸引用ダクト  
６  コンビーフ缶
１０  基台
１１  マグネットコンベア
１２  ガイドレール
２１  ブラシロール  
２２  ジグザグカラー  
２３  シャフト  
２４  ベアリングホルダ  
２５  かさ歯車  
３１  かさ歯車  
３２  シャフト  
３３  スプロケット  
３４  ベアリングホルダ  
５１  上板
５２  下板
５３  側板
５４  背板
５５  吸引口
６１  巻き取り部
６２  スコア
６３  エナメルヘア
１０２  チャンネルブラシ
１２１  チャンネル部材
１２２  ブラシ
１０５  吸引用ダクト
１５５  吸引口
２１１  ブラシ台
２１２  ブラシ
２１３  吸引用流路
２１４  開口部
２１５  筒状スペース
【図１】
0005549367.tif 000002
【図２】
0005549367.tif 000003
【図３】
0005549367.tif 000004
【図４】
0005549367.tif 000005
【図５】
0005549367.tif 000006